(57)【要約】二つの対象物（１２２，３１）を取外し自在に連結するためのバックル装置であって、一方の対象物（３１）から垂直方向へ突出するポスト（８０）、他方の対象物（１２２）へ連結されかつポストにより受けられるリング形本体（７０）を有し、リング形本体がポストのウエスト部（８２）と係合するラッチショルダ（７４）を担持し、ラッチショルダはラッチショルダに連結された二つの露出したプレスキー（７２）に圧力を加えることによりポストから取外し可能であるバックル装置。バックル装置は子供支持ハーネス内のキャリアポーチの上縁部（１２２）の側端とそのハーネスに含まれるチエストストラップ（３１）との間に、またはベビーシッタのベルトの両端を相互に連結するために使用できる。
2004530521.tif 000002
【特許請求の範囲】
【請求項１】
対象物（２２，３１）の一方（３１）に担持されるポストの形態の第二バックル部材（８０）、および対象物の他方（２２）に連結されるリング形本体の形態の第一バックル部材（７０）を含み、第一バックル部材が前記第二バックル部材を受けかつラッチ装置（７２，７５）を含み、前記ラッチ装置がリング形本体（７０）を前記ポスト（８０）に対して軸方向に係止させることが可能であり、かつ前記ポストに係止された前記リング形本体は前記ポストを中心に回転可能である、対象物に取外し可能に連結するためのバックル装置において、
前記ラッチ装置（７２−７５）は二つのラッチ要素（７３，７３）を含み、
各前記ラッチ要素は前記リング形本体の外側に露出するプレスキー（７２）、およびラッチショルダ（７４）を有し、
前記ラッチ要素は、相互に対してバネ付勢されて、前記ラッチショルダ（７４，７４）を前記ポスト（８０）のウエスト部（８２）の相互に反対の側に係合させ、かつ
前記ラッチ要素は、前記プレスキー（７２，７２）が相互に向けて直径方向へプレスされるときに、前記ウエスト部から前記ラッチショルダ（７４，７４）を自由に移動させるように形成されていることを特徴とする、バックル装置。
【請求項２】
前記リング形本体（７０）はリング形本体の開放軸を形成する相互に平行かつ対向する二つの端面を有し、
前記ポスト（８０）の挿入端は前記リング形本体（７０）と共働するストッパ面（８３）を有し、
前記リング形本体の主面の各々から前記ラッチショルダ（７４）への軸方向の距離が相互に同一であり、かつ
前記リング形本体の一つの主面は、前記ラッチショルダ（７４）が前記ポストのウエスト部と係合するときに、前記ストッパ面（８３）に当接することを特徴とする、請求項１によるバックル装置。
【請求項３】
前記リング形本体はリング形本体のリング開口軸に対して垂直に延びた直径方向に貫通するチャンネル（７７）を有するリング形ハウジングを含み、
二つの前記ラッチ要素（７３，７３）は相互に同一のリング形要素の形態でありかつ一体的バネ（７５，７５）を有し、
前記プレスキーおよび前記ラッチショルダは前記ラッチ要素内の開口部（８７）に対して直径方向反対位置に形成され、
前記ラッチ要素は前記開口部（８７）により概ね整合した状態で相互に反対方向において平行に結合され、
前記ラッチ要素の一方のバネは他方のラッチ要素のプレスキーの放射状内側を付勢し、かつその逆も同様であり、
共に結合された前記ラッチ要素は前記チャンネル（７７）の断面に対応する断面を有し、かつ
ラッチディバイス（１７６，７９）は前記ハウジング内に前記ラッチ要素を保持する作用をすることを特徴とする、請求項１または２によるバックル装置。
【請求項４】
前記ハウジング内の前記チャンネル（７７）は、概ね矩形断面を有し、かつ前記ラッチ要素上の突起（１７６）を受ける作用をする壁孔（７９）をその長手に沿って中間に含み、かつ
前記ハウジング（７６）のチャンネル壁は、前記ラッチ要素（７３，７３）がそのチャンネルへ共に挿入されるときに、前記突起のための空間を提供するために外方に弾性変形することを特徴とする、請求項４によるバックル装置。
【請求項５】
前記ハウジングは舌部（８１）を含むことを特徴とする、請求項１〜４のいずれか１によるバックル装置。
【請求項６】
前記ハウジング（７６）は外方に突出した舌部（８１）を含み、前記舌部は他端部が調整取付具（６１）を通るストラップの固定端部（６９）のためのスロット状開口部（７１）を含むことを特徴とする、請求項１〜５のいずれか１によるバックル装置。
【請求項７】
前記ポスト（８０）上のウエスト部は概ね直角のＵ形形状を有し、かつ前記ラッチショルダ（７４）は前記Ｕ形の脚と共働する概ね平行の端面を有することを特徴とする、請求項１〜６によるバックル装置。
【請求項８】
前記第一および第二バックル部材（７０，８０）はウエストベルトの端（３１’，１２５’）に取り付けられていることを特徴とする、請求項１〜７のいずれか１によるバックル装置。
【請求項９】
子供支持ハーネスのチエストストラップ（３１）と、前記ハーネスと共に子供運搬ポーチを内部に形成する前片（２２）の上縁部（１２２）の側端との間で使用される、請求項１〜７のいずれか１によるバックル装置。
【発明の詳細な説明】
【技術分野】
【０００１】
本発明は請求項１の序文に記載のタイプのバックル装置に関する。
【背景技術】
【０００２】
この種のバックル装置はある種の使用に関して当分野で知られている。
【０００３】
【特許文献１】
ＳＥ０００１７００−４
【発明の開示】
【発明が解決しようとする課題】
【０００４】
本発明の課題は、バックル装置の二つの主部材を片手で容易に締結および締結解除でき、その主部材間を確実、安全に連結し、一方のフラットなリング形バックル部材の他方のポスト形態のバックル部材への二つの結合位置における効果的結合を可能にし、かつ子供が容易に開放できないバックル装置の新規設計を提供することにある。
【０００５】
本発明の他の課題は、子供支持安全ハーネス、ベビーシッタ、上記課題および他の好ましい効果を達成するのに望ましい同様の性質を有する他の構造物に使用するためのバックル装置を提供することにある。
【０００６】
本発明の他の課題は、製造および組立ての観点から望ましいバックル装置を提供することにある。他の課題は、バックル部材がストラップ等の可撓性連結要素に予め取り付けられ、例えば縫付ける等により、他の対象物もしくは物品に容易に連結できるバックルまたはカップリング装置設計を提供することである。
【０００７】
本発明の他の課題は、一方のバックル部材を物品に連結することとの関係で一方のバックル部材が物品に締結できる調整手段を装備し、かつ調整手段の一端部がその一方のバックル部材に連結できる形態のバックル装置を提供することである。
【０００８】
上記課題は本発明により全体的または部分的に達成される。
【課題を解決するための手段】
【０００９】
本発明は請求項１に記載されている。
本発明の他の形態は従属請求項で明らかにされている。
【００１０】
本発明によるバックル装置は先端に向かって狭くなる自由端を有しかつウエスト部を有するポストの形態の第一バックル部材、および前記ポストを受ける開口部を有しかつバネ等のテンション装置によって前記ウエスト部を把持するラッチ装置を有するリング形本体の形態の第二バックル部材を含む。前記リング形本体は前記ポストを中心に回転可能である。
本発明の好適形態において、前記ラッチ装置は二つのラッチ要素を含み、各前記ラッチ要素は前記ウエスト部と係合するラッチショルダ、および前記リング形本体の外側に露出するプレスキーを有し、二つの前記ラッチ要素が結合されたときに、前記プレスキーはバネの作用に対して前記ラッチショルダを分離移動させる作用をし、前記ラッチショルダを前記ウエスト部との係合から解放し、かつ前記リング形本体の前記ポストからの離脱を可能にする。前記リング形本体は前記ポストを中心に回転するように構成されるのが便利である。前記ポストの自由端は圧迫（wedging)作用をして、前記リング形本体を前記ポストへ通過させるときにバネ付勢に対する前記ラッチ要素の復帰を可能にする。
【００１１】
本発明によるバックル装置は、例えばＳＥ０００１７０−４に開示のポストがチエストストラップの外側で前方に突出するタイプの、子供支持ハーネスのチエストストラップと前片の上縁領域の側端との間に適宜に使用できる。
【００１２】
前記バックル装置は更に、ベビーシッタの場合に、ベビーシッタのストラップまたはベルトの端部間で相互に取外し自在に連結して使用できる。
【発明の効果】
【００１３】
本発明は次の利点を有する。
【００１４】
リング形本体のポストを中心とする回転はバックル装置およびそれに連結されたハーネス部材におけるストレスを最小限にする。
【００１５】
リング形本体のポストへの形状結合によるラッチは子供支持ハーネスに特に重要な実質的安全装置を構成する。
【００１６】
リング形本体は水平リング直径を中心に１８０°回転可能でありかつ二つの回転位置でポストに同等に確実に連結され得る。このことは前片の上折り畳み可能部が上縁部の下降位置および上昇位置もしくは起立位置の両位置でチエストストラップに連結できる事実に鑑み好ましいことである。
【００１７】
リング形本体は、前片の平面における水平軸を中心とする回転に対して、回転不可能にポストに連結される。このことは、リング形本体が前片の弾性により折り畳み可能な上縁領域へ回転不可能に連結される場合に特に重要である。これは、かかる回転硬直が、上縁領域のその弾性による上昇傾向にかかわらず、前片の上縁領域を下方折り畳み位置に維持することに寄与するからである。
【００１８】
ユーザは本発明によるバックル装置を片手で容易に締結できる。例えば、ポスト下のチエストストラップ背後に隣接して手の親指を置き、同じ手の人差し指または中指によりポスト上からリングを押すか、またはポストが安定支持面上に取り付けられている場合にはポストに対してリングを押し下げればよい。
【００１９】
ユーザは手の親指と、隣接する人差し指でリング形本体上に相互に反対側に設置されたラッチキーもしくはプレスキーを操縦することによりバックル装置の締結を容易に解除もしくは解放できる。
【００２０】
本発明によるバックル装置は、リング形本体のラッチ要素がポストのウエスト部へスナップ係止するときにバネが緊張し、明瞭な音声信号を発生する。
【００２１】
本発明によるバックル装置は、リング形本体のラッチ要素がポストの底面の当接ストッパ面に接触するときに実質的にポストのウエスト部に、リング形本体がポスト上で相互に１８０°離れた二つの配向で、係止するように設計できる。
【発明を実施するための最良の形態】
【００２２】
例えばＳＥ０００１７００−４に記載のタイプの子供支持ハーネスは、子供運搬ポーチを形成できる可撓性シート状前片を担持するハーネス装置を含む。前片２２は、水平折り線１２４を介して下方に垂れ下がりかつ前片２２の下部（実際のポーチを形成する下部）から上昇する上縁部１２２を含む。前片２２は折り線１２４のレベルに側開口部１２３を有する。上縁部１２２は子供が起きたときに下降させることができる。
【００２３】
子供が休憩したり睡眠するときに、上縁部１２２は上昇でき、かつその両側の側端１２５は取外し自在のバックル装置によってハーネスのチエストストラップ３１の隣接部に連結できる。バックル装置の一方の部材７０は側端１２５の頂点へ連結されかつバックル装置の他方の部材８０はチエストストラップ３１に連結される。
【００２４】
上縁部１２２は少なくとも側端１２５、そして折り線１２４を中心とする折り曲げ部分に関して可撓性である。バックル部材７０，８０は小さい子かつ／または眠っている子供に対してヘッドサポートを形成するために上縁部１２２と共働する。
【００２５】
図２は、バックル装置の第一部材７０がそのバックル部材７０内のスロット状開口部７１へ延びたストラップ６６の一端部を通るシーム６９によって上縁部１２２の側端１２５へ回転不可能に連結されていることを示す。シーム６９はストラップ６６の端部および前片２２の両方へ適宜侵入している。
【００２６】
前片２２の対称線の中央部分にシーム６２により上縁部１２２に固定取付具６１が連結されている。取付具６１は二つの貫通孔を有し、二つの貫通孔はポスト６４により相互から分離している。ストラップ６６の自由端は貫通孔６３からポスト６４のまわりを通過する。ストラップの自由端６７はフィンガグリップ６８を含み、フィンガグリップはストラップが取付具６１の貫通孔から脱出するのを阻止する。取付具６１は既知方法によりストラップ６６と共働し、ポスト６４とシーム６９間のストラップ６６の有効長が、ストラップ端６７を引っ張りかつ取付具６１をシーム６２を中心にして上昇させ、それによりストラップ６６の取付具６１からの摺動を可能にすることにより調整できるように構成される。
【００２７】
ストラップ６６は概ね水平に配置されている。
【００２８】
図２から理解されるように、ストラップ装置６０はバックル装置の一方の部材７０と取付具６１との間の間隔の選択的調整を可能にし、側端１２５は、図２に示された形態においてシーム６２の近傍で概ね垂直の折り線１２７を中心に部分的に、かつ長手方向中央部の折り線１２８で部分的に、自然に折り曲がる。シーム６９と折り線１２８間の部分１３０は装着者の胸の当たりに設置され、かつ折り線１２７と１２８間の部分１３１は概ねフラット状態を維持し、装着者の胸の表面に対する角度はストラップ６６の有効長により変化する。部分１３１は子供の頭部に対して快適支持面を形成する。この装置は更に子供の頭部が受けやすい圧迫（wedging)作用を解消する。
【００２９】
理解されるように、折り曲がり表示／折り線１２７，１２８は前片２２に設けられ、その表示場所での折り曲げを確実にする。
【００３０】
理解されるように、ストラップ装置６０は、上縁部１２２が前片２２の下部に垂れ下がっても、アクセス可能かつ操縦可能であり、所望により支持ポーチの上方へ開口した開口部の寸法の調整を可能にする。
【００３１】
本発明の特に好適な形態によれば、バックル装置の一方の部材７０は既知タイプのものであり、ポスト８０のまわりを通過させることにより取外し可能に連結できるリング形フラットバックル要素７０を含む。
【００３２】
この形態は、バックル要素もしくはバックル部材７０の開口部の概ね水平直径に対応する回転軸を中心に１８０°離隔した回転位置においてバックル部材７０のポスト８０への連結を可能にする。バックル部材７０はフラットに置いた前片２２を通る折り線１２４の近傍になるように取り付けられる。バックル部材７０は側端１２５に回転不可能に連結されるので、バックル装置７０，８０は折り線１２４を中心に下へ折り曲げた状態での上縁部１２２の保持に寄与する。可撓性弾性前片２２は、前片２２の本来的弾性により、図１の位置における上縁部１２２の上昇維持もしくは起立維持を可能にする傾向がある。
【００３３】
バックル部材７０の特に好適な形態において、バックル部材７０は図５−７による概ね管状のハウジング７６を有し、ハウジング７６は図８−１１による二つの相互に同一のキャリア要素７３を受け、キャリア要素７３は、一対のラッチ要素７３としてハウジング７６へ挿入されて図２に示されたような完全バックル部材７０を形成する前に、図１２による形態に結合される。
【００３４】
各キャリア要素７３の全体的形態は、開口部８７を有する薄くフラットなプレートであり、二つの概ね平行の相互に対向するエッジ８８，８８’を含む。開口部８７の反対側のエッジ間にはプレスキー７２を形成するプレートまたはディスクの拡大部７２が形成され、開口部８７を画定している。キャリア要素は更にプレートの平面内で一つのエッジ８８から概ね直角に他方のエッジ８８’へ向かって延在するバネ脚７５を有する。
【００３５】
キャリア要素７３は、例えばプラスチック材料等の、バネ弾性材により構成される。
【００３６】
ラッチショルダ１７６がエッジ８８から突出している。
【００３７】
ハウジング７６はスロット７１に隣接して下部に壁孔７９を含み、壁孔７９は、一対のキャリア要素７３が図１２に示された形態でハウジング７６の貫通チャンネル７７へ挿入されるときに、ラッチショルダ１７６を受ける。
【００３８】
ポスト８０は、バックル部材７０がポスト８０上に通されるときに、バックル部材７０の主面に対する端ストッパを形成する相対的に幅広い底プレート８３を含む。ポスト８０の軸は好適には回転対称であり、チエストストラップ３１の平面に対して垂直であり、かつポスト８０はウエスト部８２および円錐形自由端８１を有し、自由端８１はキャリア要素のプレスキーを分離させるためにプレスキーと共働する。
【００３９】
ウエスト部８２は二つの平行のリング面により形成される。バックル部材７０をポスト８０上から下へ通過させるときに、ラッチショルダ７４は音が聞こえるようにウエスト部にスナップ止めされ、かつバックル部材７０の離脱に対する形状固定部（Shape fixture）を提供する。バックル部材７０のラッチショルダ７４は、操作する手の、例えば親指または人差し指で、相互方向に向けてハウジングのチャンネルへ同時に二つの露出したプレスキー７２を押すことによりウエスト部から離脱する。ユーザは、チエストストラップまたはベルト３１の下からポスト８０下に親指を置きかつ人差し指および中指でバックル部材７０をポスト８０上へ下降させることにより、リング形バックル部材７０をポスト８０上へプレスすることができる。バックル部材７０がポスト８０上に完全に通されかつ端ストッパ８３に当接して接触するときにポスト８０上でウエスト部８２を確実に把持する確実性は、端ストッパ（底プレート）８３と端ストッパのウエスト部８２からの距離とにより向上する。
【００４０】
図３に示されたように、ポスト８０はリベット装置８４等によりチエストストラップ３１へ固定される。
【００４１】
ポスト８０は、ストラップまたはベルト等の材料による可撓性片から垂直に突出するように取り付けられてよく、かつリング形本体はベルトまたはストラップ等の材料による可撓性片へ固定されてよい。バックル部材はこのようにして図４に示されたタイプのウエストベルトまたはラップベルトの端部３１’，１２５’に予め取り付けられてよい。
【００４２】
図４から理解されるように、ベルト端の一部は上述のタイプのストラップ装置６０を有してよく、ストラップ装置の一端は一方のバックル部材へ直接連結されてよく、かつ他方の端部はウエストベルトの有効周辺に調整するために、その端部から所定距離でベルトへ連結されてよい。
【図面の簡単な説明】
【００４３】
【図１】概ね垂直方向に配置のチエストストラップと子供支持ハーネスの前片の側上端領域との間に取り付けた本発明によるバックル装置の概略側面図である。
【図２】図１のII-II線に沿った概略図である。
【図３】ポスト形態のバックル装置の一部の概略側面図である。
【図４】開放自在のウエストベルトに取り付けたバックル装置の平面図である。
【図５】バックル装置の第一部材のハウジング側面図である。
【図６】図５のVI-VI線から見た図である。
【図７】図５のVII-VII線から見た図である。
【図８】バックル装置の第一部材のラッチ要素の一面の図である。
【図９】バックル装置の第一部材のラッチ要素の図８と反対側の面の図である。
【図１０】図８のX-X線から見た図である。
【図１１】図８のXI-XI線から見た図である。
【図１２】図５−７に示されたハウジングへ挿入する前の図８−１１による二つのラッチ要素を示す。
【国際公開パンフレット】
2004530521.tif 000003
2004530521.tif 000004
2004530521.tif 000005
2004530521.tif 000006
2004530521.tif 000007
2004530521.tif 000008
2004530521.tif 000009
2004530521.tif 000010
2004530521.tif 000011
2004530521.tif 000012
2004530521.tif 000013
2004530521.tif 000014
2004530521.tif 000015
2004530521.tif 000016
2004530521.tif 000017
2004530521.tif 000018
【国際調査報告】
2004530521.tif 000019
2004530521.tif 000020
2004530521.tif 000021